(57)【要約】  本発明は収納された物の脱落防止構造をなし変形が可能な収納タンス組立体のために、本発明の一側面によれば、第１長軸と前記長軸と垂直である短軸を有し、物を載置できる収納パネルと、互いに向かい合うように位置して前記収納パネルと結合される時、前記収納パネルを支持できる二つの側面パネルと、一方向に延びた第１貫通ホールと前記第１貫通ホールから前記一方向と交差する方向に延びた第２貫通ホールを有する第１プレートを有し、前記収納パネルの前記長軸と交差する端部面の第１部分に前記第１プレートが対応するように前記収納パネルに固定することができ、前記収納パネルに固定される時、前記第１貫通ホールが前記短軸方向に延びた状態となるように整えられる第１結合部と、一方向に延びた第３貫通ホールを有する第２プレートを有し、前記収納パネルの前記端部面の第２部分に前記第２プレートが対応するように前記収納パネルに固定することができ、前記収納パネルに固定される時、前記第３貫通ホールが前記短軸方向に延びた状態となるように整えられる第２結合部を具備する、収納タンス組立体を提供する。【選択図】  図２
2017500178.tif 000002
【特許請求の範囲】
【請求項１】
第１長軸と、前記長軸と垂直である短軸を有し、物を載置できる、収納パネルと、
互いに向かい合うように位置し、前記収納パネルと結合される時に前記収納パネルを支持できる、二つの側面パネルと、
一方向に延びた第１貫通ホールと前記第１貫通ホールから前記一方向と交差する方向に延びた第２貫通ホールを有する第１プレートを有し、前記収納パネルの前記長軸と交差する端部面の第１部分に前記第１プレートが対応するように前記収納パネルに固定することができ、前記収納パネルに固定される時、前記第１貫通ホールが前記短軸方向に延びた状態となるように整えられる、第１結合部と、 
一方向に延びた第３貫通ホールを有する第２プレートを有し、前記収納パネルの前記端部面の第２部分に前記第２プレートが対応するように前記収納パネルに固定することができ、前記収納パネルに固定される時、前記第３貫通ホールが前記短軸方向に延びた状態となるように整えられる、第２結合部と、
を具備する、収納タンス組立体。
【請求項２】
前記第１結合部が前記収納パネルに固定される時、前記第２貫通ホールが前記第１貫通ホールから上方に延びる、請求項１に記載の収納タンス組立体。
【請求項３】
前記第１結合部が前記収納パネルに固定される時、前記第２貫通ホールが前記第１貫通ホールの前記短軸方向終端から上方に延びる、請求項２に記載の収納タンス組立体。
【請求項４】
前記第１結合部は前記第１プレートに垂直である第１結合プレートを有し、前記第２結合部は前記第２プレートに垂直である第２結合プレートを有し、前記第１結合プレートと前記第２結合プレートは前記収納パネルの上面または下面に固定することができる、請求項１に記載の収納タンス組立体。
【請求項５】
前記第１結合部は前記第１プレートに垂直である第１結合プレートを有し、前記第２結合部は前記第２プレートに垂直である第２結合プレートを有し、
前記収納パネルは前記端部面に前記第１結合プレートおよび前記第２結合プレートを挿入することができる溝を有する、請求項１に記載の収納タンス組立体。
【請求項６】
前記第１プレートの前記第１貫通ホールまたは前記第２貫通ホールと、前記第２プレートの前記第３貫通ホールを突き抜ける固定具を挿入することができる複数個のホールが前記二つの側面パネルに形成された、請求項１に記載の収納タンス組立体。
【請求項７】
前記第１貫通ホール、前記第２貫通ホールおよび前記第３貫通ホール内における前記固定具の前記第１貫通ホール、前記第２貫通ホールおよび前記第３貫通ホールに対する相対的な位置を変えることができるように、前記固定具の大きさが前記第１貫通ホール、前記第２貫通ホールおよび前記第３貫通ホールの大きさよりも小さい、請求項６に記載の収納タンス組立体。
【請求項８】
前記第１結合部と前記第２結合部は一体である、請求項１〜請求項７のいずれか一項に記載の収納タンス組立体。
【請求項９】
請求項１〜請求項７のいずれか一項に記載された収納パネル、第１結合部、第２結合部および二つの側面パネル中の少なくとも一部が結合された、収納タンス。
【発明の詳細な説明】
【技術分野】
【０００１】
本発明は収納タンス組立体および収納タンスに関するもので、さらに詳細には収納された物の脱落が防止された構造で変形が可能な収納タンス組立体および収納タンスに関するものである。
【背景技術】
【０００２】
一般的に、収納タンスは本のような物を保管、展示および運搬できるようにしたもので、物を支持する支持台を多様な構造で配列することによって、様々な種類の本のような物を効果的に展示、保管および運搬できるようにするとともに装飾効果を奏するようになっている。
【発明の概要】
【発明が解決しようとする課題】
【０００３】
しかし、このような従来の収納タンスでは、地震などの外部衝撃が加えられる場合、収納された本のような物が床に落ちやすくなるという問題点があった。
【０００４】
本発明は、前記のような問題点を含む各種問題点を解決するためのものであって、収納された物の脱落防止構造をなし変形が可能な収納タンス組立体および収納タンスを提供することを目的とする。しかし、このような課題は例示的なものであり、これによって本発明の範囲が限定されるものではない。
【課題を解決するための手段】
【０００５】
本発明の一側面によれば、第１長軸と前記長軸と垂直である短軸を有して物を載置できる収納パネルと、互いに向かい合うように位置して前記収納パネルと結合される時、前記収納パネルを支持できる二つの側面パネルと、一方向に延びた第１貫通ホールと前記第１貫通ホールから前記一方向と交差する方向に延びた第２貫通ホールを有する第１プレートを有し、前記収納パネルの前記長軸と交差する端部面の第１部分に前記第１プレートが対応するように前記収納パネルに固定することができ、前記収納パネルに固定される時、前記第１貫通ホールが前記短軸方向に延びた状態となるように整列される第１結合部と、一方向に延びた第３貫通ホールを有する第２プレートを有し、前記収納パネルの前記端部面の第２部分に前記第２プレートが対応するように前記収納パネルに固定することができ、前記収納パネルに固定される時、前記第３貫通ホールが前記短軸方向に延びた状態となるように整列される第２結合部を具備する、収納タンス組立体が提供される。
【０００６】
前記第１結合部が前記収納パネルに固定される時、前記第２貫通ホールが前記第１貫通ホールから上方に延びるようにすることができる。このとき、前記第１結合部が前記収納パネルに固定される時、前記第２貫通ホールが前記第１貫通ホールの前記短軸方向終端から上方に延びるようにすることができる。
【０００７】
前記第１結合部は前記第１プレートに垂直である第１結合プレートを有し、前記第２結合部は前記第２プレートに垂直である第２結合プレートを有し、前記第１結合プレートと前記第２結合プレートは前記収納パネルの上面または下面に固定されるようにすることができる。
【０００８】
前記第１結合部は前記第１プレートに垂直である第１結合プレートを有し、前記第２結合部は前記第２プレートに垂直である第２結合プレートを有し、前記収納パネルは前記端部面に前記第１結合プレートおよび前記第２結合プレートが挿入され得る溝を有するようにすることができる。
【０００９】
前記第１プレートの前記第１貫通ホールまたは前記第２貫通ホールと、前記第２プレートの前記第３貫通ホールを突き抜ける固定具が挿入され得る複数個のホールが前記二つの側面パネルに形成されるようにすることができる。
【００１０】
このとき、前記第１貫通ホール、前記第２貫通ホールおよび前記第３貫通ホール内における前記固定具の前記第１貫通ホール、前記第２貫通ホールおよび前記第３貫通ホールに対する相対的な位置を変えることができるように、前記固定具の大きさが前記第１貫通ホール、前記第２貫通ホールおよび前記第３貫通ホールの大きさより小さくすることができる。
【００１１】
一方、前記第１結合部と前記第２結合部は一体にすることができる。
【００１２】
本発明の他の一側面によれば、前述のような収納パネル、第１結合部、第２結合部および二つの側面パネル中の少なくとも一部が結合された、収納タンスが提供される。
【発明の効果】
【００１３】
前記のような本発明の一実施例によれば、収納された物の脱落防止構造をなし変形が可能な収納タンス組立体および収納タンスを具現することができる。もちろん、このような効果によって本発明の範囲が限定されるものではない。
【図面の簡単な説明】
【００１４】
【図１】本発明の一実施例に係る収納タンス組立体によって具現された収納タンスを概略的に図示する斜視図である。
【図２】図１の収納タンスの一部を概略的に図示する部分拡大図である。
【図３】図１の収納タンスの作動原理を概略的に図示する概念図である。
【図４】図１の収納タンスの作動原理を概略的に図示する概念図である。
【図５】本発明の他の一実施例に係る収納タンス組立体によって具現された収納タンスの一部を概略的に図示する概念図である。
【図６】本発明のさらに他の一実施例に係る収納タンス組立体によって具現された収納タンスの一部を概略的に図示する部分拡大図である。
【図７】本発明のさらに他の一実施例に係る収納タンス組立体によって具現された収納タンスの一部を概略的に図示する部分拡大図である。
【図８】本発明のさらに他の一実施例に係る収納タンス組立体の一構成要素を概略的に図示する斜視図である。
【図９】本発明のさらに他の一実施例に係る収納タンス組立体の一構成要素を概略的に図示する斜視図である。
【図１０】本発明のさらに他の一実施例に係る収納タンス組立体の一構成要素を概略的に図示する斜視図である。
【発明を実施するための形態】
【００１５】
以下、添付された図面を参照して本発明の実施例を詳細に説明すると、次の通りである。しかし、本発明は以下で開示される実施例に限定されず、互いに異なる多様な形態で具現することができ、以下の実施例は本発明の開示を完全にし、通常の知識を有した者に発明の範疇を完全に知らせるために提供されるものである。また、説明の便宜上、図面では各構成要素の大きさが誇張または縮小され得る。例えば、図面に示された各構成の大きさおよび厚さは説明の便宜のために任意に示したため、本発明は必ずしも図示されたものに限定されない。
【００１６】
以下の実施例において、ｘ軸、ｙ軸およびｚ軸は直交座標系上の三軸に限定されず、これを含む広い意味で解釈され得る。例えば、ｘ軸、ｙ軸およびｚ軸は互いに直交することもあるが、互いに直交しない、互いに異なる方向を指し示すこともある。
【００１７】
一方、層、膜、領域、板などの各種構成要素が他の構成要素「上に」あるとした時、これは他の構成要素の「真上に」ある場合だけでなく、その間に他の構成要素が介在された場合も含む。
【００１８】
前方は＋ｘ方向を、後方は−ｘ方向を、上方は＋ｚ方向を、下方は−ｚ方向を指す。そして、収納タンスの前面は本のような物を取り出すか入れるために人と対向する収納タンスの面を指し、図１で説明すれば、収納タンスの中心から＋ｘ軸方向に位置した面を指す。そして、収納タンスの後面は収納タンスの前面の反対側の面を指す。以下ではこれを基準として説明する。
【００１９】
図１は本発明の一実施例に係る収納タンス組立体によって具現された収納タンスを概略的に図示する斜視図で、図２は図１の収納タンスの一部を概略的に図示する部分拡大図である。
【００２０】
本実施例に係る収納タンス組立体は収納パネル２０、二つの側面パネル３０、第１結合部４１および第２結合部４２を具備する。もちろん、図示されたように、必要に応じて収納タンスの後面に位置し、側面パネル３０に結合されるバックパネル１０をさらに具備することもできる。そして、複数個の収納パネル２０を具備することもできる。
【００２１】
収納パネル２０は第１長軸（ＬＡ）と、この長軸（ＬＡ）と垂直である短軸（ＳＡ）を有するように、一方向（＋ｙ方向）に延びた形状を有する。収納パネル２０には本などのような多様な物を載置することができる。このような収納パネル２０の場合、本を載置する面（以下、上面２０ａ）の傾斜度を変えることができるようにすることができる。すなわち、収納パネル２０の本を載置できる上面２０ａ上で短軸（ＳＡ、例えばｘ軸）が水平に維持されるか傾斜することができるように傾斜度の調節が可能である。例えば、収納パネル２０は図示された通り、その厚さが一定の平板形状であり、前方または後方に行くほどこの平板が下がるように傾くことができる。収納パネル２０の傾斜度調節については後述する。
【００２２】
二つの側面パネル３０は収納タンスの側壁をなし、＋ｚ方向に延長され得る。ここで、二つの側面パネル３０は図１に図示された通り、＋ｚ方向に連続的に延長され得る。しかし、これに限定されず、二つの側面パネル３０は収納パネル２０が複数個である場合、その間間に配置されるように断続的に＋ｚ方向に延長され得る。このような側面パネル３０は収納パネル２０と結合される際に収納パネル２０を支持することができる。
【００２３】
第１結合部４１は収納パネル２０に固定され得るもので、第１プレート４１ａと第１結合プレート４１ｂを有する。第１結合部４１の第１プレート４１ａは第１貫通ホール４１ａ１と第２貫通ホール４１ａ２を有するが、第１貫通ホール４１ａ１は一方向に延長され、第２貫通ホール４１ａ２は第１貫通ホール４１ａ１から前記一方向と交差する方向に延長される。第１結合プレート４１ｂは第１プレート４１ａに垂直であるため、結果的に第１結合部４１は図２に図示されたように、折り曲げられた形状を有し得る。
【００２４】
このような第１結合部４１は図１および図２に図示されたように、収納パネル２０に結合することができるが、具体的には、収納パネル２０の長軸（ＬＡ）と交差する端部面（ＥＳ；ｅｎｄ  ｓｕｒｆａｃｅ）の第１部分に第１プレート４１ａが対応するように収納パネル２０に固定することができる。ここで、第１プレート４１ａが収納パネル２０の端部面（ＥＳ）に対応するとは、第１プレート４１ａが収納パネル２０の端部面（ＥＳ）に接触することを意味することもあれば、第１プレート４１ａが収納パネル２０の端部面（ＥＳ）と所定間隔離れるものの、第１プレート４１ａの面が収納パネル２０の端部面（ＥＳ）と向かい合うことを意味することもある。そして、収納パネル２０の端部面（ＥＳ）の第１部分は、例えば図１および図２に図示されたように、収納パネル２０の端部面（ＥＳ）の後方の部分（−ｘ方向の部分）であり得る。
【００２５】
第１結合部４１を収納パネル２０に固定することは多様な方式でなすことができる。例えば、第１結合部４１の第１結合プレート４１ｂに開口が形成されていて、この開口を通じて螺子などが第１結合プレート４１ｂを貫通して収納パネル２０の下面２０ｂに締結されることによって、第１結合部４１を収納パネル２０に固定することができる。もちろん、場合によっては第１結合部４１が第１結合プレート４１ｂを有さずに第１プレート４１ａのみを有し、第１プレート４１ａに開口が形成されていて、この開口を通じて螺子などが第１プレート４１ａを貫通して収納パネル２０の端部面（ＥＳ）に締結されることによって、第１結合部４１を収納パネル２０に固定することもできる。
【００２６】
第１結合部４１が収納パネル２０に結合されると、第１貫通ホール４１ａ１は収納パネル２０の短軸（ＳＡ）方向（＋ｘ方向）に延びた形状を有し、第２貫通ホール４１ａ２は第１貫通ホール４１ａ１から上方（＋ｚ方向）に延びた形状を有する。
【００２７】
第２結合部４２も収納パネル２０に固定され得るもので、第２プレート４２ａと第２結合プレート４２ｂを有する。第２結合部４２の第２プレート４２ａは第３貫通ホール４２ａ３を有するが、第３貫通ホール４２ａ３は一方向に延長される。第２結合プレート４２ｂは第２プレート４２ａに垂直であるため、結果的に第２結合部４２は図２に図示されたように、折り曲げられた形状を有し得る。
【００２８】
このような第２結合部４２は図１および図２に図示されたように、収納パネル２０に結合することができるが、具体的には、収納パネル２０の長軸（ＬＡ）と交差する端部面（ＥＳ）の第２部分に第２プレート４２ａが対応するように収納パネル２０に固定することができる。ここで、第２プレート４２ａが収納パネル２０の端部面（ＥＳ）に対応するとは、第２プレート４２ａが収納パネル２０の端部面（ＥＳ）に接触することを意味することもあれば、第２プレート４２ａが収納パネル２０の端部面（ＥＳ）と所定間隔離れるものの、第２プレート４２ａの面が収納パネル２０の端部面（ＥＳ）と向かい合うことを意味することもある。そして、収納パネル２０の端部面（ＥＳ）の第２部分は、例えば図１および図２に図示されたように、収納パネル２０の端部面（ＥＳ）の前方の部分（＋ｘ方向の部分）であり得る。
【００２９】
第２結合部４２を収納パネル２０に固定することは多様な方式でなすことができる。例えば、第２結合部４２の第２結合プレート４２ｂに開口が形成されていて、この開口を通じて螺子などが第２結合プレート４２ｂを貫通して収納パネル２０の下面２０ｂに締結されることによって、第２結合部４2を収納パネル２０に固定することができる。もちろん、場合によっては第２結合部４２が第２結合プレート４２ｂを有さずに第２プレート４２ａのみを有し、第２プレート４２ａに開口が形成されていて、この開口を通じて螺子などが第２プレート４２ａを貫通して収納パネル２０の端部面（ＥＳ）に締結されることによって、第２結合部４２を収納パネル２０に固定することもできる。
【００３０】
第２結合部４２が収納パネル２０に結合されると、第３貫通ホール４２ａ３は収納パネル２０の短軸（ＳＡ）方向（＋ｘ方向）に延びた形状を有する。
【００３１】
第１結合部４１と第２結合部４２が収納パネル２０に結合されると、第１固定具５１が第１結合部４１の第１貫通ホール４１ａ１や第２貫通ホール４１ａ２を突き抜けて側面パネル3０のホールに挿入され、第２固定具５２が第２結合部４２の第３貫通ホール４２ａ３を突き抜けて側面パネル3０のホールに挿入されることによって、収納パネル２０は側面パネル3０によって図１に図示されたように支持され得る。もちろん、このために両側面パネル3０の相互向かい合う面には第１固定具５１と第２固定具５２が挿入され得る複数個のホールが形成されていることもあり得る。
【００３２】
図３および図４は図１の収納タンスの作動原理を概略的に図示する概念図である。このような本実施例に係る収納タンス組立体で組み立てられた収納タンスの場合、通常は図３に図示されたように、第１固定具５１が第１結合部４１の第１貫通ホール４１ａ１内に位置し、第２固定具５２が第２結合部４２の第３貫通ホール４２ａ３内に位置した状態で使用され得る。この場合、収納パネル２０の上面２０ａは水平の状態、すなわちｘｙ平面内に位置した状態であり得る。
【００３３】
そのような状態で使用者が収納パネル２０を本棚の前方（＋ｘ方向）に動かすと、第１固定具５１の第１貫通ホール４１ａ１に対する相対的な位置が第１貫通ホール４１ａ１内で第１貫通ホール４１ａ１の後方（−ｘ方向）に移り、続いて図４に図示されたように、第１固定具５１が第１貫通ホール４１ａ１と連結されて上方に延びた第２貫通ホール４１ａ２内に位置するようになる。したがって、結果的に収納パネル２０が後方（−ｘ方向）に行くほど下がるように傾斜され得る。図４では、あたかも収納パネル２０の前方（＋ｘ方向）部分が上方（＋ｚ方向）に持ち上げられたように図示されているが、これは図示の便宜上そのように図示しただけであり、実際には収納パネル２０の後方（−ｘ方向）部分が下方（−ｚ方向）に下がるようになる。
【００３４】
このように、本実施例に係る本棚の場合、収納パネル２０を簡単に操作することによって収納パネルの配置形態を容易に調節することができる。すなわち、収納パネル２０を略水平の状態で側面パネル３０によって支持されるようにして通常の収納タンスのように使用することもでき、収納パネル２０が後方（−ｘ方向）に行くほど下がるように傾斜した状態で側面パネル３０によって支持されるようにして変形された収納タンスのように使用することもできる。
【００３５】
後者の状態の場合、本を収納パネル２０の上面２０ａに立てておくと、本を後方に傾斜させることができる。これによって、本が外部の衝撃などにより本棚から前方に落ちることを効果的に防止することができる。特にこの場合、本を収納パネル２０の上面２０ａ上に立てておき、その本の上面上に他の本を横にしておいた場合、その上に置かれた本も収納タンスの後方に傾斜されているため、下部にある本を取り出す時、その上の本が収納タンスの前方に落ちる可能性が顕著に低くなる。もちろん、収納パネル２０の上面２０ａ上に立てられた本のうち、取り出そうとする本を取り出す時、隣接した本が取り出そうとする本と接触して共に前方に動いたり落ちることも、傾斜した収納パネル２０により効果的に防止することができる。
【００３６】
また、収納パネル２０を略水平の状態で側面パネル３０によって支持されるようにして通常の収納タンスのように使用する場合、収納パネル２０が本を安定的に支持するようにするためには、収納パネル２０の＋ｘ方向の長さが本よりも長いことが望ましい。しかし、収納パネル２０が後方に行くほど下がると、重力によって本が後方に傾くため、収納パネル２０の＋ｘ方向の長さが本と比べて短かったとしても、本を安定的に収納タンスに収納することができる。すなわち、収納パネル２０を必要に応じて後方に傾くようにすることによって、収納パネル２０の＋ｘ方向の長さより大きい本を効果的に収納することができ、収納パネル２０の＋ｘ方向の長さを従来と比べて短くすることができる。これによって、本発明の実施例に係る収納タンスは、＋ｘ方向への長さを減らすことによって、収納タンスの全体的な体積を減らして収納タンスが占める空間を節約することができ、空間を効率的に使用することができる。
【００３７】
これまでは、収納パネル２０が水平状態から傾斜した状態に変わるのが、使用者の意図によるものとして説明したが、本発明はこれに限定されない。例えば、収納パネル２０が普段は水平状態であっても、地震などの外部衝撃が発生した場合、その衝撃によって自然に収納パネル２０が傾斜した状態に変わり、収納パネル２０に収納された本などの物が前方（＋ｘ方向）に落ちることを効果的に防止する収納タンスとして使用できることはいうまでもない。すなわち、外部で衝撃が発生する時、その衝撃によって収納タンスおよび／または収納パネル２０が揺れることによって、第１固定具５１が第１貫通ホール４１ａ１内から第２貫通ホール４１ａ２内に移動し、収納パネル２０が水平状態から傾斜した状態に自動で変わるようにすることによって、収納パネル２０に収納された本などの物が前方（＋ｘ方向）に落ちることを効果的に防止することができる。
【００３８】
一方、本実施例に係る収納タンスの場合、第１結合部４１が図１〜図４に図示されたように、収納パネル２０に固定される時、第２貫通ホール４１ａ２が第１貫通ホール４１ａ１の短軸（ＳＡ）方向終端から上方に延びるようにすることができる。特に、第１貫通ホール４１ａ１の後方（−ｘ方向）終端から第２貫通ホール４１ａ２が上方に延びるようにすることができる。以下では、これに対して説明する。
【００３９】
本を収納パネル２０から取り出す時は、本が収納パネル２０と接触した状態で取り出すよりは本が収納パネル２０から離れた状態で取り出す方が多いため、この過程で収納パネル２０が動く可能性は高くない。しかし、本を収納パネル２０に置く時は、通常、本の下面などが収納パネル２０と接触した状態で押込まれるため、この過程で収納パネル２０に力が加わって収納パネル２０が動く可能性が相対的に高い。
【００４０】
本を収納パネル２０に入れる時、収納パネル２０に加えられる力の方向は後方（−ｘ方向）であると言える。したがって、仮に、第２貫通ホール４１ａ２が第１貫通ホール４１ａ１の前方（＋ｘ方向）終端から始まって上方に延びた形状であれば、第１固定具５１が第１貫通ホール４１ａ１内に位置して収納パネル２０が水平を維持したまま、収納パネル２０が後方（−ｘ方向）に押されるにつれて第１固定具５１が第２貫通ホール４１ａ２内に移動するようになり、収納パネル２０が使用者の意図とは無関係に、傾斜してしまう恐れがある。したがって、第１貫通ホール４１ａ１の後方（−ｘ方向）終端から第２貫通ホール４１ａ２が上方に延びるようにすることによって、そのような状況の発生を効果的に防止することができる。
【００４１】
一方、第１結合部４１と第２結合部４２は図２〜図４に図示されたような状態でのみ収納パネル２０に固定されるべきではない。本発明の他の一実施例に係る収納タンス組立体によって具現された収納タンスの一部を概略的に図示する概念図である図５に図示されたように、第１固定具５１と第２固定具５２が収納パネル２０の上方（＋ｚ方向）に位置するのではなく、下方（−ｚ方向）に位置して、第１固定具５１が第１貫通ホール４１ａ１または第２貫通ホール４１ａ２を通過し、第２固定具５２が第３貫通ホール４2ａ３を突き抜けるようにすることができる。もちろん、この場合にも第２貫通ホール４１ａ２は一方向（ｘ軸方向）に延びた第１貫通ホール４１ａ１の後方（−ｘ方向）終端から上方（＋ｚ方向）に延びた形状を有する。これにより、第１固定具５１が第１貫通ホール４１ａ１内に位置する時は収納パネル２０が水平状態となり、第１固定具５１が第２貫通ホール４１ａ２内に位置する時は収納パネル２０の後方（−ｘ方向）が前方（＋ｘ方向）よりも下方（−ｚ方向）に位置した傾斜状態となるようにすることができる。
【００４２】
第１固定具５１の一部と第２固定具５２の一部は、第１結合部４１の第１プレート４１ａと第２結合部４２の第２プレート４２ａから収納パネル２０方向に突出することもある。この場合、図１〜図４に図示されたように、第１固定具５１と第２固定具５２が収納パネル２０の上方（＋ｚ方向）に位置すると、収納パネル２０に収納された物と接触して収納された物が損傷される問題が発生することもあり得る。第１固定具５１と第２固定具５２が収納パネル２０の上面２０ａ付近に位置するためである。
【００４３】
しかし、図５に図示されたような本実施例に係る収納タンス組立体の場合、第１固定具５１の一部と第２固定具５２の一部が第１結合部４１の第１プレート４１ａと第２結合部４２の第２プレート４２ａから収納パネル２０方向に突出するとしても、収納された物が損傷しないようにすることができる。図５に図示されているように、本実施例に係る収納タンス組立体の場合、組み立てられた収納タンスにおいて第１固定具５１と第２固定具５２は収納パネル２０の下方（−ｚ方向）に位置する。このとき、第１固定具５１と第２固定具５２は収納パネル２０の下面２０ｂ付近に位置する。収納パネル２０の上面２０ａ上に収納された物は、通常的にその上部の収納パネル２０の下面２０ｂ近辺にまでは至らないのが一般的であるので、第１固定具５１と第２固定具５２が収納パネル２０に収納された物と接触する可能性が低くなり、したがって、収納された物が損傷する問題が発生しないようにすることができる。
【００４４】
図６は、本発明のさらに他の一実施例に係る収納タンス組立体によって具現された収納タンスの一部を概略的に図示する部分拡大図である。本実施例に係る収納タンス組立体の場合、収納パネル２０が、端部面（ＥＳ）に第１結合部４１の第１結合プレート４１ｂおよび第２結合部４２の第２結合プレート４２ｂを挿入することができる溝（ＥＳ１、ＥＳ２）を有する。これにより、第１結合部４１と第２結合部４２が収納パネル２０に固定される時、第１結合プレート４１ｂを収納パネル２０の溝（ＥＳ１）に挿入し、第２結合プレート４２ｂを収納パネル２０の溝（ＥＳ２）に挿入して固定することができる。
【００４５】
もちろん、この場合、図６に図示されたように、第１結合部４１の第１貫通ホール４１ａ１と第２貫通ホール４１ａ２、そして、第２結合部４２の第３貫通ホール４２ａ３が収納パネル２０の上面２０ａの上方（＋ｚ方向）に位置するようにすることもでき、本発明のさらに他の一実施例に係る収納タンス組立体によって具現された収納タンスの一部を概略的に図示する部分拡大図である図７に図示されたように、第１結合部４１の第１貫通ホール４１ａ１と第２貫通ホール４１ａ２、そして、第２結合部４２の第３貫通ホール４２ａ３が収納パネル２０の下面２０ｂの下方（−ｚ方向）に位置するようにすることもできる。この二つの場合の第１貫通ホール４１ａ１と第２貫通ホール４１ａ２などに対する説明は、図１〜図４を参照して説明した内容と図５を参照して説明した内容と同一／類似であるので省略する。
【００４６】
このように第１結合部４１と第２結合部４２が収納パネル２０に固定されるとき、単純に第１結合プレート４１ｂを収納パネル２０の溝（ＥＳ１）に挿入し、第２結合プレート４２ｂを収納パネル２０の溝（ＥＳ２）に挿入して固定することによって、螺子などを利用する方式に比べて収納タンス組立体の組み立てを画期的に単純化することができる。
【００４７】
一方、これまでは第１結合部４１と第２結合部４２が互いに分離された場合に対して説明したが、本発明はこれに限定されない。例えば、本発明のさらに他の一実施例に係る収納タンス組立体の一構成要素を概略的に図示する斜視図である図８に図示されたように、第１結合部４１の第１結合プレートと第２結合部４２の第２結合プレートが一体化された結合プレート４１２ｂを有する結合部４１２を利用することもできる。すなわち、結合部４１２が第１プレート４１ａと第２プレート４２ａを有し、第１プレート４１ａには前述のような第１貫通ホール４１ａ１と第２貫通ホール４１ａ２が形成され、第２プレート４２ａには前述のような第３貫通ホール４２ａ３が形成されるようにすることができる。もちろん、第１プレート４１ａと第２プレート４２ａは図８に図示されたように、結合プレート４１２ｂから下方（−ｚ方向）に延びることもでき、これとは違って上方（＋ｚ方向）に延びることもできる。仮に、第１プレート４１ａと第２プレート４２ａが上方（＋ｚ方向）に延びるとしても、第２貫通ホール４１ａ２は第１貫通ホール４１ａ１の終端から上方（＋ｚ方向）に延びることはいうまでもない。このように第１結合部４１と第２結合部４２を一体化することによって、使用者が組み立てをさらに簡単にすることができる。
【００４８】
ひいては、本発明のさらに他の一実施例に係る収納タンス組立体の一構成要素を概略的に図示する斜視図である図９に図示されたように、第１プレートと第２プレートも一体化されたプレート４１２ａを有する結合部４１２を利用することもできる。もちろん、プレート４１２ａは図９に図示されたように、結合プレート４１２ｂから下方（−ｚ方向）に延びることもでき、これとは違って上方（＋ｚ方向）に延びることもできる。
【００４９】
また、本発明のさらに他の一実施例に係る収納タンス組立体の一構成要素を概略的に図示する斜視図である図１０に図示されたように、一体化された結合プレート４１２ｂのｘ軸方向の長さが、一体化されたプレート４１２ａのｘ軸方向の長さより短くなるようにすることができる。この場合、図７などを参照して前述したものと同じく、収納パネル２０の端部面（ＥＳ）に溝を形成し、図１０に図示されたような結合部４１２を収納パネル２０に固定する時、一体化された結合プレート４１２ｂのｘ軸方向の長さが一体化されたプレート４１２ａのｘ軸方向の長さよりも短いので、収納パネル２０の端部面（ＥＳ）に形成する溝のｘ軸方向長さも短くすることができる。もちろん、この場合にもプレート４１２ａは図１０に図示されたように、結合プレート４１２ｂから下方（−ｚ方向）に延びることもでき、これとは違って上方（＋ｚ方向）に延びることもできる。
【００５０】
一方、これまでの説明において、第１固定具５１が第１貫通ホール４１ａ１と第２貫通ホール４１ａ２内で動くことができ、第２固定具５２が第３貫通ホール４２ａ３内で動くことができるとしているところ、第１貫通ホール４１ａ１、第２貫通ホール４１ａ２および第３貫通ホール４２ａ３内での第１固定具５１と第２固定具５２の第１貫通ホール４１ａ１、第２貫通ホール４１ａ２および第３貫通ホール４２ａ３に対する相対的な位置を変えることができるように、第１固定具５１と第２固定具５２の大きさを第１貫通ホール４１ａ１、第２貫通ホール４１ａ２および第３貫通ホール４２ａ３の大きさよりも小さくすることができることはいうまでもない。ここで、第１固定具５１と第２固定具５２の大きさは、例えば、第１固定具５１と第２固定具５２の第１貫通ホール４１ａ１、第２貫通ホール４１ａ２および第３貫通ホール４２ａ３を突き抜ける部分の最大厚さを意味し、第１貫通ホール４１ａ１、第２貫通ホール４１ａ２および第３貫通ホール４２ａ３の大きさは、各貫通ホールの延長された方向（例えば図１０の場合、ｘ軸方向）と垂直の方向（例えば図１０の場合、ｚ軸方向）へのホールの大きさを意味し得る。
【００５１】
これまでは、主に収納タンスが本棚である場合について説明したが、本発明はこれに限定されないことはいうまでもない。例えば、本発明は子供たちの遊具を収納する収納タンスであり得る。子供たちが遊具を取り出す時、収納パネルが水平である従来の収納タンスの場合、隣接した遊具がかみ合って共に前方に取り出され床に落ちてしまう恐れがある。しかし、必要に応じて収納パネルが後方に行くほど下方に傾斜するようにセッティングされると、子供たちが遊具を取り出す時、隣接した遊具は後方に傾斜した収納パネルによって取り出される遊具によって、共に前方に取り出されなくなるので、子供たちの生活安定性を画期的に高めることができる。もちろん、本発明は遊具以外の多様な物の収納にも活用することができる。また、外部の衝撃が収納タンスに印加されても、水平に維持されていた収納パネル２０が、後方が自然に下方に動くことによって、遊具などが外部の衝撃によって前方に落下することを効果的に防止することができる。例えば、通常の店舗の陳列台の場合、地震のような外部衝撃によって収納された物が落下することによって、人的／物的被害が発生する恐れがあるが、本実施例に係る収納タンスを利用する場合には地震のような外部衝撃が発生しても水平に維持されていた収納パネル２０が、自然に後方が下方に動くことによって、収納された物が前方に落下することを効果的に防止してその被害を減らすことができる。
【００５２】
また、本発明は収納パネル２０、側面パネル３０、第１結合部４１および第２結合部４２などの、少なくとも一部が結合された収納タンスはもちろん、収納パネル２０、側面パネル３０、第１結合部４１および第２結合部４２などを結合することができる、収納パネル２０、側面パネル３０、第１結合部４１および第２結合部４２などの、分離された一組のセットである場合も含む。
【００５３】
本発明は、図面に図示された実施例を参照して説明されたが、これは例示的なものに過ぎず、当該技術分野で通常の知識を有した者であればこれから多様な変形および均等な他の実施例が可能であることが理解できるであろう。したがって、本発明の真の技術的保護範囲は添付された特許請求の範囲の技術的思想によって定められるべきである。
【００５４】
物をより安定的に取り出し、または保管、展示および運搬できる収納タンスを具現することができる。
【図１】
2017500178.tif 000003
【図２】
2017500178.tif 000004
【図３】
2017500178.tif 000005
【図４】
2017500178.tif 000006
【図５】
2017500178.tif 000007
【図６】
2017500178.tif 000008
【図７】
2017500178.tif 000009
【図８】
2017500178.tif 000010
【図９】
2017500178.tif 000011
【図１０】
2017500178.tif 000012
【国際調査報告】
2017500178.tif 000013
2017500178.tif 000014
2017500178.tif 000015
2017500178.tif 000016
2017500178.tif 000017
2017500178.tif 000018